(57)【要約】【課題】  機能拡充モジュールを具えた情報媒体装置の提供。【解決手段】  アクセス装置との接続に適した機能拡充モジュールを具えた情報媒体装置であり、情報媒体本体、カバー及び第１回路モジュールで構成されている。そのうち、情報媒体本体はコネクタを具え、該コネクタの一部は情報媒体本体の外側に露出して該コネクタによりアクセス装置との接続が行なえ、カバーはコネクタと分離可能に結合され、並びに第１回路モジュールがカバー内に配置されて拡充機能を提供し、カバーと情報媒体本体が結合される時、該装置が第１回路モジュールの機能を具備する。【選択図】        図２
2005316140.tif 000002
【特許請求の範囲】
【請求項１】
機能拡充モジュールを具えた情報媒体装置において、
一側にコネクタを具え、該コネクタの一部が外部に露出している情報媒体本体と、
選択的に該情報媒体本体の該コネクタに対応するよう結合され、内部に第１回路モジュールが設けられて第１拡充機能を提供し、情報媒体本体のコネクタと対応するよう結合される時、該第１回路モジュールが該コネクタを通して該情報媒体本体と電気的に接続され、該情報媒体本体をして該第１拡充機能の実行可能となすカバーと、
を具えたことを特徴とする、機能拡充モジュールを具えた情報媒体装置。
【請求項２】
請求項１記載の機能拡充モジュールを具えた情報媒体装置において、第１回路モジュールが、ラジオモジュール、デジタルカメラモジュール、カードリーダーモジュール、ＭＰ３モジュール、及び言語学習機モジュールのいずれかとされたことを特徴とする、機能拡充モジュールを具えた情報媒体装置。
【請求項３】
請求項１記載の機能拡充モジュールを具えた情報媒体装置において、アクセス装置と接続可能で、これにより情報アクセスの機能を提供することを特徴とする、機能拡充モジュールを具えた情報媒体装置。
【請求項４】
請求項１記載の機能拡充モジュールを具えた情報媒体装置において、情報媒体本体がＵＳＢフラッシュディスク機能及びデジタル音楽再生機機能のいずれかを具えたことを特徴とする、機能拡充モジュールを具えた情報媒体装置。
【請求項５】
請求項４記載の機能拡充モジュールを具えた情報媒体装置において、情報媒体本体がＵＳＢフラッシュディスク機能を具え、該情報媒体本体が更に第２回路モジュールと第１電池を具え、且つ第２回路モジュールがスイッチ回路と第２コネクタに接続され、該スイッチ回路と該第２コネクタが相互に接続され、該カバーと該情報媒体本体が結合される時、該スイッチ回路が導通状態となり、第１電池の電力により第１回路モジュールが駆動されることを特徴とする、機能拡充モジュールを具えた情報媒体装置。
【請求項６】
請求項５記載の機能拡充モジュールを具えた情報媒体装置において、第２コネクタが相互に近隣の第１電圧端、複数のデータ端（Ｄ＋，Ｄ−）、第２電圧端及び第３電圧端を具え、該第１電圧端と該第２電圧端がそれぞれプラス極とマイナス極とされ、且つ第２回路モジュールと電気的に接続されて必要な電源を伝送し、これらデータ端（Ｄ＋，Ｄ−）及び第３電圧端も第２回路モジュールと電気的に接続されて制御信号を伝送することを特徴とする、機能拡充モジュールを具えた情報媒体装置。
【請求項７】
請求項６記載の機能拡充モジュールを具えた情報媒体装置において、ＦＭパワー信号準位、ＵＳＢ使用可能信号、ＦＭ使用可能信号、及びＵＳＢリセット信号でデータ端（Ｄ＋，Ｄ−）が制御され、その制御フローによると、
デジタル音楽再生機のモードをＦＭパワー信号が高準位で、ＵＳＢ使用可能信号が低準位でＦＭ使用可能信号がアナログより変換されたデジタル入力であると設定し、
ラジオモードであるかを判断し、ラジオモードでなければデジタル音楽再生機モードであり、
ラジオモードであれば、ＦＭパワー信号は低準位であり、
ＦＭ使用可能信号の電圧を測定し、高電圧であれば、第１回路モジュールでないことを表示し、低電圧であれば、第１回路モジュールであることを表示し、このとき、ＵＳＢ使用可能信号はラジオチャンネルのシークに用いられ、且つＵＳＢリセット信号は第１回路モジュールのリセットに用いられることを特徴とする、機能拡充モジュールを具えた情報媒体装置。
【請求項８】
請求項１記載の機能拡充モジュールを具えた情報媒体装置において、カバーに第２電池が更に設けられたことを特徴とする、機能拡充モジュールを具えた情報媒体装置。
【請求項９】
複数の機能拡充モジュールを具えた情報媒体装置において、
一側にコネクタを具え、該コネクタが一部外部に露出した情報媒体本体と、
第１回路モジュールを具えて第１拡充機能を提供し、選択的に情報媒体本体の該コネクタに対応するよう結合される第１カバーと、
第２回路モジュールを具えて第２拡充機能を提供し、選択的に情報媒体本体の該コネクタに対応するよう結合される第２カバーと、
を具え、第１カバーが該情報媒体本体の該コネクタと結合される時、該情報媒体本体は該コネクタを通して該第１回路モジュールに電気的に接続されて該第１拡充機能を実行可能であり、
第２カバーが該情報媒体本体の該コネクタと結合される時、該情報媒体本体は該コネクタを通して該第２回路モジュールに電気的に接続されて該第２拡充機能を実行可能であることを特徴とする、複数の機能拡充モジュールを具えた情報媒体装置。
【請求項１０】
請求項９記載の複数の機能拡充モジュールを具えた情報媒体装置において、コネクタがＵＳＢコネクタとされ且つＵＳＢインタフェースを具えたアクセス装置との接続に適したものとされたことを特徴とする、複数の機能拡充モジュールを具えた情報媒体装置。
【請求項１１】
請求項９記載の複数の機能拡充モジュールを具えた情報媒体装置において、第１回路モジュールはラジオモジュール、デジタルカメラモジュール、カードリーダーモジュール、ＭＰ３モジュール、及び言語学習機モジュールのいずれかとされたことを特徴とする、複数の機能拡充モジュールを具えた情報媒体装置。
【請求項１２】
請求項９記載の複数の機能拡充モジュールを具えた情報媒体装置において、第２回路モジュールはラジオモジュール、デジタルカメラモジュール、カードリーダーモジュール、ＭＰ３モジュール、及び言語学習機モジュールのいずれかとされたことを特徴とする、複数の機能拡充モジュールを具えた情報媒体装置。
【請求項１３】
請求項９記載の複数の機能拡充モジュールを具えた情報媒体装置において、第１回路モジュールと第２回路モジュールが異なるモジュールとされたことを特徴とする、複数の機能拡充モジュールを具えた情報媒体装置。
【請求項１４】
請求項９記載の複数の機能拡充モジュールを具えた情報媒体装置において、情報媒体本体が少なくともＵＳＢフラッシュディスク機能及びデジタル音楽再生機機能のいずれかを具えたことを特徴とする、複数の機能拡充モジュールを具えた情報媒体装置。
【請求項１５】
請求項１４記載の複数の機能拡充モジュールを具えた情報媒体装置において、情報媒体本体がＵＳＢフラッシュディスク機能及びデジタル音楽再生機機能のいずれをも具え、情報媒体装置が第３回路モジュールと第３電池を具え、且つ第３回路モジュールがスイッチ回路に接続され、第１カバー或いは第２カバーが情報媒体本体と結合される時、該スイッチ回路が導通状態となり、第３電池の電力により第１回路モジュール或いは第２回路モジュールが駆動可能となることを特徴とする、複数の機能拡充モジュールを具えた情報媒体装置。
【発明の詳細な説明】
【技術分野】
【０００１】
本発明は一種の機能拡充モジュールを具えた情報媒体装置に係り、特に、ＵＳＢフラッシュディスク或いはＭＰ３プレイヤー等の情報媒体装置のカバーに例えばラジオモジュール等の拡充機能を設計し、このカバーをＵＳＢフラッシュディスク或いはＭＰ３プレイヤーに嵌合する時に該ラジオ拡充機能を実行できるようにした、一種の情報媒体装置に関する。
【背景技術】
【０００２】
ＵＳＢフラッシュディスクは大量のデータを携行するのに用いられる保存装置であり、そのサイズは親指程度であり、ハンドヘルドディスク及びミニディスク等の異なる名称を有し、現在の容量は３２から２５６ＭＢのものが主流である。その主要な特性は、以下のとおりである。即ち、１．ＵＳＢインタフェースを使用するため伝送速度が速く、且つコネクタアンドプレイをサポートする。２．損壊しにくく、ハードディスクの機械構造がないため、防振、衝突防止及び湿気防止の能力がいずれも良好である。
【０００３】
図１は周知のラジオとデジタル音楽再生機（ＭＰ３プレイヤー）等の複合機能を具えたＵＳＢフラッシュディスクの表示図である。図１に示されるように、周知のラジオとデジタル音楽再生機（ＭＰ３プレイヤー）等の複合機能を具えたＵＳＢフラッシュディスク１０は、本体１１、コネクタ１２、及びカバー１３で構成されている。そのうち、コネクタ１２は本体１１に配置され、並びに一部が外界に露出し、カバー１３は本体１１に分離可能に結合され、本体１１と結合される時、コネクタ１２はカバー１３内に被覆される。該カバー１３は単純な蓋であり、コネクタ１２を遮蔽し保護するほかの機能を具備しない。
【０００４】
図１を続けて参照されたい。周知のラジオとデジタル音楽再生機（ＭＰ３プレイヤー）等の複合機能を具えたＵＳＢフラッシュディスク１０は更に電池１４、イヤホンジャック１５及び複数のボタン１６を具えている。電池１４は本体１１の内部に配置され、イヤホンジャック１５及び複数のボタン１６は本体１１の表面に配置されている。ラジオとデジタル音楽再生機（ＭＰ３プレイヤー）等の複合機能を具えたＵＳＢフラッシュディスク１０をコンピュータのデータとアクセスさせたい時は、コネクタ１２をコンピュータの対応するソケットに挿入すれば電気的接続が完成する。ラジオ番組を聴くか或いはＭＰ３音楽を再生させたい時は、イヤホンジャック１５にイヤホンを差し込み、ボタン１６で番組或いは音量を選択すればよい。このとき、電池１４が電力を供給し、電気的接続を完成する。
【０００５】
上述の周知のラジオとデジタル音楽再生機（ＭＰ３プレイヤー）等の複合機能を具えたＵＳＢフラッシュディスク１０は多機能を有しているが、ラジオがビルトインされているためこの製品はヨーロッパでは家電類製品に分類され、コンピュータ製品に分類されていない。このため関税が大幅に高くなり、販売価格が高くなり、競争力が低くなっている。このほか、ラジオとデジタル音楽再生機（ＭＰ３プレイヤー）等の複合機能はいずれもＵＳＢフラッシュディスク１０にビルトインされて分離不能であるため、消費者がラジオ放送を聴く要求を有していない場合は、却って余分にラジオモジュールの費用を負担しなければならなくなる。且つ消費者が他の機能を要求する場合、例えばデジタルカメラ等の機能を要求する場合、もともと購入しているＵＳＢフラッシュディスク１０にこの機能を拡充することはできないため、使用上の弾性が制限される。
【発明の開示】
【発明が解決しようとする課題】
【０００６】
本発明の目的は、一種の機能拡充モジュールを具えた情報媒体装置を提供することにあり、それは、ラジオモジュールがカバーに配置されて拡充機能とされ、輸出完全を減らすことができ、製造コストを減らせるものとする。
【課題を解決するための手段】
【０００７】
請求項１の発明は、機能拡充モジュールを具えた情報媒体装置において、
一側にコネクタを具え、該コネクタの一部が外部に露出している情報媒体本体と、
選択的に該情報媒体本体の該コネクタに対応するよう結合され、内部に第１回路モジュールが設けられて第１拡充機能を提供し、情報媒体本体のコネクタと対応するよう結合される時、該第１回路モジュールが該コネクタを通して該情報媒体本体と電気的に接続され、該情報媒体本体をして該第１拡充機能の実行可能となすカバーと、
を具えたことを特徴とする、機能拡充モジュールを具えた情報媒体装置としている。
請求項２の発明は、請求項１記載の機能拡充モジュールを具えた情報媒体装置において、第１回路モジュールが、ラジオモジュール、デジタルカメラモジュール、カードリーダーモジュール、ＭＰ３モジュール、及び言語学習機モジュールのいずれかとされたことを特徴とする、機能拡充モジュールを具えた情報媒体装置としている。
請求項３の発明は、請求項１記載の機能拡充モジュールを具えた情報媒体装置において、アクセス装置と接続可能で、これにより情報アクセスの機能を提供することを特徴とする、機能拡充モジュールを具えた情報媒体装置としている。
請求項４の発明は、請求項１記載の機能拡充モジュールを具えた情報媒体装置において、情報媒体本体がＵＳＢフラッシュディスク機能及びデジタル音楽再生機機能のいずれかを具えたことを特徴とする、機能拡充モジュールを具えた情報媒体装置としている。
請求項５の発明は、請求項４記載の機能拡充モジュールを具えた情報媒体装置において、情報媒体本体がＵＳＢフラッシュディスク機能を具え、該情報媒体本体が更に第２回路モジュールと第１電池を具え、且つ第２回路モジュールがスイッチ回路と第２コネクタに接続され、該スイッチ回路と該第２コネクタが相互に接続され、該カバーと該情報媒体本体が結合される時、該スイッチ回路が導通状態となり、第１電池の電力により第１回路モジュールが駆動されることを特徴とする、機能拡充モジュールを具えた情報媒体装置としている。
請求項６の発明は、請求項５記載の機能拡充モジュールを具えた情報媒体装置において、第２コネクタが相互に近隣の第１電圧端、複数のデータ端（Ｄ＋，Ｄ−）、第２電圧端及び第３電圧端を具え、該第１電圧端と該第２電圧端がそれぞれプラス極とマイナス極とされ、且つ第２回路モジュールと電気的に接続されて必要な電源を伝送し、これらデータ端（Ｄ＋，Ｄ−）及び第３電圧端も第２回路モジュールと電気的に接続されて制御信号を伝送することを特徴とする、機能拡充モジュールを具えた情報媒体装置としている。
請求項７の発明は、請求項６記載の機能拡充モジュールを具えた情報媒体装置において、ＦＭパワー信号準位、ＵＳＢ使用可能信号、ＦＭ使用可能信号、及びＵＳＢリセット信号でデータ端（Ｄ＋，Ｄ−）が制御され、その制御フローによると、
デジタル音楽再生機のモードをＦＭパワー信号が高準位で、ＵＳＢ使用可能信号が低準位でＦＭ使用可能信号がアナログより変換されたデジタル入力であると設定し、
ラジオモードであるかを判断し、ラジオモードでなければデジタル音楽再生機モードであり、
ラジオモードであれば、ＦＭパワー信号は低準位であり、
ＦＭ使用可能信号の電圧を測定し、高電圧であれば、第１回路モジュールでないことを表示し、低電圧であれば、第１回路モジュールであることを表示し、このとき、ＵＳＢ使用可能信号はラジオチャンネルのシークに用いられ、且つＵＳＢリセット信号は第１回路モジュールのリセットに用いられることを特徴とする、機能拡充モジュールを具えた情報媒体装置としている。
請求項８の発明は、請求項１記載の機能拡充モジュールを具えた情報媒体装置において、カバーに第２電池が更に設けられたことを特徴とする、機能拡充モジュールを具えた情報媒体装置としている。
請求項９の発明は、複数の機能拡充モジュールを具えた情報媒体装置において、
一側にコネクタを具え、該コネクタが一部外部に露出した情報媒体本体と、
第１回路モジュールを具えて第１拡充機能を提供し、選択的に情報媒体本体の該コネクタに対応するよう結合される第１カバーと、
第２回路モジュールを具えて第２拡充機能を提供し、選択的に情報媒体本体の該コネクタに対応するよう結合される第２カバーと、
を具え、第１カバーが該情報媒体本体の該コネクタと結合される時、該情報媒体本体は該コネクタを通して該第１回路モジュールに電気的に接続されて該第１拡充機能を実行可能であり、
第２カバーが該情報媒体本体の該コネクタと結合される時、該情報媒体本体は該コネクタを通して該第２回路モジュールに電気的に接続されて該第２拡充機能を実行可能であることを特徴とする、複数の機能拡充モジュールを具えた情報媒体装置としている。
請求項１０の発明は、請求項９記載の複数の機能拡充モジュールを具えた情報媒体装置において、コネクタがＵＳＢコネクタとされ且つＵＳＢインタフェースを具えたアクセス装置との接続に適したものとされたことを特徴とする、複数の機能拡充モジュールを具えた情報媒体装置としている。
請求項１１の発明は、請求項９記載の複数の機能拡充モジュールを具えた情報媒体装置において、第１回路モジュールはラジオモジュール、デジタルカメラモジュール、カードリーダーモジュール、ＭＰ３モジュール、及び言語学習機モジュールのいずれかとされたことを特徴とする、複数の機能拡充モジュールを具えた情報媒体装置としている。
請求項１２の発明は、請求項９記載の複数の機能拡充モジュールを具えた情報媒体装置において、第２回路モジュールはラジオモジュール、デジタルカメラモジュール、カードリーダーモジュール、ＭＰ３モジュール、及び言語学習機モジュールのいずれかとされたことを特徴とする、複数の機能拡充モジュールを具えた情報媒体装置としている。
請求項１３の発明は、請求項９記載の複数の機能拡充モジュールを具えた情報媒体装置において、第１回路モジュールと第２回路モジュールが異なるモジュールとされたことを特徴とする、複数の機能拡充モジュールを具えた情報媒体装置としている。
請求項１４の発明は、請求項９記載の複数の機能拡充モジュールを具えた情報媒体装置において、情報媒体本体が少なくともＵＳＢフラッシュディスク機能及びデジタル音楽再生機機能のいずれかを具えたことを特徴とする、複数の機能拡充モジュールを具えた情報媒体装置としている。
請求項１５の発明は、請求項１４記載の複数の機能拡充モジュールを具えた情報媒体装置において、情報媒体本体がＵＳＢフラッシュディスク機能及びデジタル音楽再生機機能のいずれをも具え、情報媒体装置が第３回路モジュールと第３電池を具え、且つ第３回路モジュールがスイッチ回路に接続され、第１カバー或いは第２カバーが情報媒体本体と結合される時、該スイッチ回路が導通状態となり、第３電池の電力により第１回路モジュール或いは第２回路モジュールが駆動可能となることを特徴とする、複数の機能拡充モジュールを具えた情報媒体装置としている。
【発明の効果】
【０００８】
本発明の情報媒体装置及び複数のカバーを具えた情報媒体装置は少なくとも以下の長所を有している。
１．本発明の機能拡充モジュールを具えた情報媒体装置は、異なる拡充機能のモジュールがカバーに配置され、カバーと情報媒体本体が結合される時、該モジュールの具備する拡充機能を有し、分離される時、ＵＳＢフラッシュディスクのデータ保存或いはその他の機能例えばデジタル音楽再生機等の機能を有する。これにより、消費者は自分が必要な機能に応じてカバーを購入すればよく、不必要な機能のために金銭を浪費することがない。
２．本発明の機能拡充モジュールを具えた情報媒体装置は情報媒体本体に異なるカバーを組み合わせることができ、カバーを交換するだけで情報媒体装置が異なる機能を具備し、ゆえに選択の弾性を多様化できる。
３．本発明の機能拡充モジュールを具えた情報媒体装置は、家電類のモジュールがカバーに配置されるため、大幅に関税を下げることができ、製品の競争力を高めることができる。
【発明を実施するための最良の形態】
【０００９】
本発明の機能拡充モジュールを具えた情報媒体装置は、アクセス装置との接続に適し、情報媒体本体、カバー及び第１回路モジュールで構成されている。そのうち、情報媒体本体はコネクタを具え、該情報媒体本体は例えばＭＰ３プレイヤーを具えたＵＳＢフラッシュディスク本体、或いはＵＳＢフラッシュディスク本体、或いはＭＰ３プレイヤー本体とされる。コネクタは一部が情報媒体本体の外側に露出し、且つ該コネクタによりアクセス装置と接続可能で、該アクセス装置は例えばコンピュータとされる。また、カバーは情報媒体本体と分離可能に結合され、情報媒体本体と結合される時、コネクタはカバー内に被覆され、カバー内に配置された第１回路モジュールと電気的に接続され、第１拡充機能を具備する。
【００１０】
本実施例中、第１回路モジュールはラジオモジュール、デジタルカメラモジュール、カードリーダーモジュール、ＭＰ３モジュール及び言語学習機モジュール等とされる。
【００１１】
本実施例中、情報媒体本体がＭＰ３プレイヤーのＵＳＢフラッシュディスク本体とされる時、それは第２回路モジュール、第１電池、第１イヤホンジャック及び複数のボタンを具え、第２回路モジュール及び第１電池はＭＰ３プレイヤーを具えたＵＳＢフラッシュディスク本体内部に配置され、第１イヤホンジャック及び複数のボタンはＭＰ３プレイヤーを具えたＵＳＢフラッシュディスク本体表面或いはカバー表面に配置され、且つ第２回路モジュールはスイッチ回路及び第２コネクタに接続され、スイッチ回路と第２コネクタは相互に電気的に接続され、カバーとＭＰ３プレイヤーを具えたＵＳＢフラッシュディスク本体が結合される時、スイッチ回路は導通状態となり、第２拡充機能を有し、カバーとＭＰ３プレイヤーを具えたＵＳＢフラッシュディスク本体が分離される時、スイッチ回路は不導通状態となる。
【００１２】
本実施例中、情報媒体本体がＵＳＢフラッシュディスク本体とされる時、該装置は第３回路モジュール、第２電池、第２イヤホンジャック及び複数のボタンを具え、第３回路モジュールはＵＳＢフラッシュディスク本体内部に配置され、第２電池はカバー内部に配置され、第２イヤホンジャック及び複数のボタンはＵＳＢフラッシュディスク本体表面或いはカバー表面に配置され、且つ第３回路モジュールは上述のスイッチ回路に接続され、カバーとＵＳＢフラッシュディスク本体が結合される時、スイッチ回路は導通状態となり、第３拡充機能を有し、カバーとＵＳＢフラッシュディスク本体が分離される時、スイッチ回路は不導通状態となる。
【００１３】
本実施例中、情報媒体本体がＭＰ３プレイヤー本体とされる時、該装置は第４回路モジュール、第２電池、第２イヤホンジャック、及び複数のボタンを具え、第４回路モジュールはＭＰ３プレイヤー本体内部に配置され、第２電池はカバー内部に配置され、第２イヤホンジャック及び複数のボタンはＭＰ３プレイヤー本体ｈｙ方面或いはカバー表面に配置され、且つ第４回路モジュールは上述のスイッチ回路に接続されて、カバーとＭＰ３プレイヤー本体が結合される時、スイッチ回路は導通状態となり、第４拡充機能を具え、カバーとＭＰ３プレイヤー本体が分離される時、スイッチ回路は不導通状態となる。
【００１４】
本実施例中、第２コネクタは相互に近隣である第１電圧端（ＶＢＵＳ）、複数のデータ端（Ｄ＋，Ｄ−）、及び第２電圧端（ＶＳＳ）及び第３電圧端（Ｓｈｉｅｌｄｉｎｇ  Ｇｒｏｕｎｄ）を具え、第１電圧端（ＶＢＵＳ）と第２電圧端（ＶＳＳ）はプラス極とマイナス極とされ、且つ第２回路モジュール、第３回路モジュール及び第４回路モジュールと相互に電気的に接続されて必要な電源を伝送する。これらのデータ端（Ｄ＋，Ｄ−）、及び第３電圧端（Ｓｈｉｅｌｄｉｎｇ  Ｇｒｏｕｎｄ）もまた第２回路モジュール、第３回路モジュール及び第４回路モジュールと相互に電気的に接続されて制御信号を伝送する。
【００１５】
また、第４回路モジュールはさらにＦＭパワー信号、ＵＳＢ使用可能信号、ＦＭ使用可能信号及びＵＳＢリセット信号を具え、それはこれらデータ端（Ｄ＋，Ｄ−）を制御するのに用いられる。その制御フローは、以下のとおりである。ステップ１：ＭＰ３プレイヤーのモードをＦＭパワー信号が高準位で、ＵＳＢ使用可能信号が低準位でＦＭ使用可能信号がアナログより変換されたデジタル入力であると仮定する。ステップ２：ラジオモードであるかを判断する。ラジオモードでなければＭＰ３プレイヤーモードである。ステップ３：ラジオモードであれば、ＦＭパワー信号は低準位である。ステップ４：ＦＭ使用可能信号の電圧を測定し、高電圧であれば、ＦＭモジュールとの非接続を表示し、低電圧であれば、ＦＭモジュールとの接続を表示し、このとき、ＵＳＢ使用可能信号はチャンネルシークに用いられ、且つＵＳＢリセット信号はＦＭモジュールのリセットを行う。
【００１６】
本発明はまた複数のカバーを具えた情報媒体装置を提供する。それは、情報媒体本体、第１カバー、第２カバーで構成され、アクセス装置との接続に適し、アクセス装置は例えばコンピュータとされる。そのうち、情報媒体本体はコネクタを具え、該コネクタは一部が情報媒体本体の外側に露出し、並びに情報媒体本体は該コネクタによりアクセス装置と接続され、情報媒体本体は例えばＭＰ３プレイヤーを具えたＵＳＢフラッシュディスク本体とされるか或いはＵＳＢフラッシュディスク本体とされるか、或いはＭＰ３プレイヤー本体とされうる。また第１カバーは第５回路モジュールを具え、第２カバーは第６回路モジュールを具え、第５回路モジュールと第６回路モジュールは例えばラジオモジュール、デジタルカメラモジュール、カードリーダーモジュール、ＭＰ３モジュール及び言語学習機モジュールとされ、且つ第５回路モジュールと第６回路モジュールは異なるモジュールとされる。また、第１カバーと第２カバーはそれぞれ情報媒体本体と分離と結合可能であり、情報媒体本体と結合される時、コネクタが第１カバー或いは第２カバー内に被覆されて、第５拡充機能或いは第６拡充機能を具備する。
【００１７】
本実施例中、複数のカバーを具えた情報媒体装置は第７回路モジュール、第３電池、第３イヤホンジャック、及び複数のボタンを具え、第７回路モジュールは情報媒体本体内部に配置され、第３電池は情報媒体本体内部或いは第１カバー或いは第２カバー内に配置される。第３イヤホンジャック及び複数のボタンは情報媒体本体表面或いは第１カバー或いは第２カバーの表面に配置され、且つ第７回路モジュールはスイッチ回路に接続され、第１カバー或いは第２カバーが情報媒体本体と結合される時、スイッチ回路が導通状態となり、第１カバー或いは第２カバーが情報媒体本体と分離される時、スイッチ回路は不導通の状態となる。
【００１８】
本発明はラジオモジュール或いはその他のモジュールを結合させたカバーを採用し、且つカバーが情報媒体本体と結合或いは分離可能とされ、多機能の機能を達成するだけでなく、関税支出を減らす効果を有する。
【実施例１】
【００１９】
図２は本発明の好ましい実施例の機能拡充モジュールを具えた情報媒体装置を示す。それはＭＰ３プレイヤーを具えた装置である。図２に示されるように、本実施例のＭＰ３プレイヤーを具えた情報媒体装置２０は情報媒体本体２１、カバー２２、第１回路モジュール２３で構成されている。該情報媒体本体２１はコネクタ２１２でアクセス装置と接続され、アクセス装置は例えばコンピュータとされて、データアクセスなどの一般のＵＳＢフラッシュディスク機能を実行する。そのうち、情報媒体本体２１のコネクタ２１２は一部が情報媒体本体２１の外側に露出し、且つＵＳＢインタフェースのコネクタとされ、また情報媒体本体２１は例えばＭＰ３プレイヤーを具えたＵＳＢフラッシュディスクとされる。本実施例の第１回路モジュール２３はカバー２２内部に配置され、第１回路モジュール２３は例えばラジオモジュール、録音ペンモジュール、デジタルカメラモジュール、カードリーダーモジュール、ＭＰ３モジュール或いは言語学習機モジュール等とされるほか、ＵＳＢインタフェースとされ得て、情報媒体本体２１に嵌合された後、第１拡充機能を提供する。また、カバー２２は情報媒体本体２１と結合或いは分離可能であり、情報媒体本体２１と結合される時、コネクタ２１２はカバー２２内に被覆され、コネクタ２１２がこれにより保護されて損壊防止され、並びに全体の外観がよくされる。
【００２０】
図２を参照されたい。この実施例のＭＰ３プレイヤーを具えた情報媒体装置２０は、第２回路モジュール２１４、第１電池２１６、第１イヤホンジャック２１８及び複数のボタン２２０を具えている。そのうち、第２回路モジュール２１４及び第１電池２１６は情報媒体本体２１内部に配置され、第１イヤホンジャック２１８及び複数のボタン２２０は情報媒体本体２１の表面に配置される。カバー２２と情報媒体本体２１が結合される時、カバー２２内部の第１回路モジュール２３はコネクタ２１２を通して情報媒体本体２１内部の第２回路モジュール２１４と第１電池２１６に接続され、並びに第１イヤホンジャック２１８及びボタン２２０によりラジオの番組の放送の聴き取りと制御が行える。或いはカバー２２と情報媒体本体２１が分離されると、コネクタ２１２がアクセス装置（例えばコンピュータ或いはその他のＵＳＢインタフェースを具えた電子装置）の対応するソケットに挿入され、相互にデータのアクセスを行える。
【００２１】
図３は本発明の好ましい実施例の機能拡充モジュールを具えた情報媒体装置の第２回路モジュール及びスイッチ回路の電気回路図である。図４は本発明の好ましい実施例の機能拡充モジュールを具えた情報媒体装置を示す。図２、３、４を同時に参照されたい。本実施例の第２回路モジュール２１４はスイッチ回路Ｘと第２コネクタ２１４２に接続され、第１回路モジュール２３は第１コネクタ２３２に接続され、且つスイッチ回路Ｘは電源回路ＶＢＵＳと相互に並列に接続され、並びに電気的に第２コネクタ２１４２に接続されている。カバー２２と情報媒体本体２１が結合される時、第２コネクタ２１４２と第１コネクタ２３２が相互に結合されて電気的に接続され、第２拡充機能を有する。このとき、スイッチ回路Ｘは導通状態となり、すなわち、カバー２２内の第１回路モジュール２３及び情報媒体本体２１内部の第２回路モジュール２１４がいずれも第１電池２１６の供給する電力により駆動され、ラジオとＭＰ３の機能を提供する。カバー２２と情報媒体本体２１が分離され且つ第２コネクタ２１４２がアクセス装置（例えばコンピュータ）のＵＳＢソケットに挿入される時、アクセス装置の電源は第２コネクタ２１４２を通して第２回路モジュール２１４に伝送されてＵＳＢフラッシュディスクのデータアクセス機能を提供する。このときスイッチ回路Ｘは不導通状態にありこれによりアクセス装置からの電源が第１電池２１６に影響を与えるのを防止する。
【実施例２】
【００２２】
図５は本発明の機能拡充モジュールを具えた情報媒体装置の情報媒体本体がＵＳＢフラッシュディスク本体とされた実施例を示す。本実施例の情報媒体本体がＵＳＢフラッシュディスクとされた情報媒体装置４０は、情報媒体本体４１、カバー４２及び第１回路モジュール２３で構成されている。その上述の実施例との違いは、本実施例の情報媒体本体４１はコネクタ４１２を具え、第１回路モジュール２３はカバー４２内に配置されていることである。また、カバー４２は情報媒体本体４１と結合可能で、結合時にコネクタ４１２を被覆する。本実施例の情報媒体装置４０はさらに第３回路モジュール４１４、第２電池４２２、第２イヤホンジャック４１６及び複数のボタン４１８を具えている。第３回路モジュール４１４は情報媒体本体４１内部に配置され、第２電池４２２はカバー４２内部に配置され、第２イヤホンジャック４１６及び複数のボタン４１８は情報媒体本体４１表面に配置されている。
【００２３】
第３回路モジュール４１４もまたスイッチ回路Ｘを具え、カバー４２と情報媒体本体４１が結合される時、スイッチ回路Ｘは導通状態となり、第３拡充機能を有する。このとき、第２電池４２２がラジオ及びＵＳＢフラッシュディスク本体の機能を提供する。カバー４２と情報媒体本体４１が分離される時、スイッチ回路Ｘは不導通状態となり、アクセス装置の電源が第２電池４２２に影響を与えるのを防止する。
【実施例３】
【００２４】
図６は本発明の機能拡充モジュールを具えた情報媒体装置の情報媒体本体がＭＰ３プレイヤーとされた実施例を示す。本実施例の情報媒体本体がＭＰ３プレイヤーとされた情報媒体装置５０と上述の実施例の同じところについては説明を省略するが、異なるところは、第４回路モジュール５１４を具え、第１回路モジュール２３はラジオモジュールとされ、カバー２２と情報媒体本体４１が結合される時、第４拡充機能を具え、ラジオ番組の受信が行える。
【００２５】
図７は本発明の好ましい実施例の機能拡充モジュールを具えた情報媒体装置のＭＰ３プレイヤー端の回路表示図である。図８は本発明の好ましい実施例の機能拡充モジュールを具えた情報媒体装置のラジオモジュール端の回路表示図である。図７と図８を共に参照されたい。本実施例のＭＰ３プレイヤー端の回路５４はさらにＦＭパワー信号５４２（ＦＭ ＰＯＷＥＲ）、ＵＳＢ使用可能信号５４４（ＵＳＢ ＲＥＡＤＹ）、ＦＭ使用可能信号５４６（ＦＭ ＲＥＡＤＹ）、及びＵＳＢリセット信号Ｕ（ＵＳＢ ＲＥＳＥＴ）（図示せず）を具え、データ端２１４４（Ｄ＋）、２１４６（Ｄ−）を制御する。そのうち、ＦＭパワー信号５４２はアナログデジタル変換器（Ａ／Ｄ）（図示せず）に接続され、ラジオモジュールが接続されているか否かの判断に供され、並びにＦＭパワー信号５４２を利用してラジオモジュールに電力供給するか否かの制御が行われる。また、ＵＳＢ使用可能信号５４４（ＵＳＢ ＲＥＡＤＹ）を利用してＳＥＥＫの信号が伝送され、さらにＦＭリセット信号５４８を利用してリセットの信号が伝送される。ＦＭオーディオ信号５５０（ＦＭ ＡＵＤＩＯ）はラジオのアンテナの機能を果たし、ラジオの受信品質を高める。このほか、ラジオモジュール端のＳＥＥＫ５５２はラジオの次のチャンネルシークを制御する信号とされ、ＶＯＡＦ５５４は音声信号とされ、それは小信号に属し、且つＣ１６  ５５６を利用して直流隔離し、ＭＰ３プレイヤー端が高準位の信号をラジオモジュールに送る時、ラジオモジュールはリセット動作を行う。
【００２６】
また、本実施例の第２コネクタ２１４２は相互に近隣の第１電圧端２１４４（例えばＶＢＵＳ）、複数のデータ端２１４６、２１４８（Ｄ＋，Ｄ−）、第２電圧端２１５０（例えばＶＳＳ）及び第３電圧端２１５２（例えばＳｈｉｅｌｄｉｎｇ  Ｇｒｏｕｎｄ）を具え、第１電圧端２１４４と第２電圧端２１５０はそれぞれプラス極とマイナス極とされ、且つ第４回路モジュール５１４と相互に電気的に接続され、必要な電源を伝送し、これらデータ端２１４６、２１４８（Ｄ＋，Ｄ−）及び第３電圧端２１５２もまた第４回路モジュール５１４と相互に電気的に接続されて制御信号を伝送する。
【００２７】
図８は本発明の機能拡充モジュールを具えた情報媒体装置のプログラム制御フローチャートである。本実施例のＭＰ３プレイヤー端の回路はプログラム制御方式でそれぞれデータ端２１４４、２１４６（Ｄ＋，Ｄ−）を制御することによりデータ或いは制御信号を伝送する。その制御フローは以下のとおりである。ステップ１：まずＭＰ３プレイヤーモードの正常状態をＦＭパワー信号５４２が高準位であり、且つＵＳＢ使用可能信号５４４が低準位であり、且つＦＭ使用可能信号５４６がアナログより変換したデジタル入力であると設定する。ステップ２：ラジオモードであるかを判断し、ラジオモードでなければ、デジタル音楽再生機（ＭＰ３プレイヤー）モードであると判断する。ステップ３：ラジオモードであれば、ＦＭパワー信号５４２は低準位である。ステップ４：ＦＭ使用可能信号５４６の電圧を測定し、高電圧であれば、ラジオモードでないことを表示し、低電圧であれば、ラジオモードであることを示す。このとき、ＵＳＢ使用可能信号５４４はラジオチャンネルシークに用いられ、且つＵＳＢリセット信号もラジオモードにリセットされる。
【００２８】
本実施例のラジオモジュールはＦＭ受信ＩＣ（ＦＭ  Ｒｅｃｅｉｖｅ  ＩＣ）を具え、それはシーク及びリセット信号５５２、５５８、５６０（ＳＥＥＫ  ａｎｄ  ＲＥＳＥＴ）の二組の制御信号の機能を具え、音声は単一音声チャネルとされる。ＳＥＥＫを利用してチャンネルシークし、ラジオが放送局を捜し当てた後、デコードの動作を行い、さらに音声信号をＭＰ３プレイヤー端に送り出力する。更に一つのＳＥＥＫ信号が伝送されるとＩＣが自動的に周波数の高い一端に向けて次のチャンネルをシークし、最後の放送局までシークした後、ＲＥＳＥＴ５６０の信号を利用し、新たに放送局をシークする。
【実施例４】
【００２９】
図１０は本発明の複数のカバーを具えた情報媒体装置６０を示す。情報媒体装置６０は情報媒体本体６１、第１カバー６２及び第２カバー６３で構成される。該情報媒体本体６１はアクセス装置との接続に適し、アクセス装置は例えばコンピュータとされる。そのうち、第１カバー６２と第２カバー６３はそれぞれ情報媒体本体６１と結合可能で、情報媒体本体６１は例えばデジタル音楽再生機（ＭＰ３プレイヤー）を具えたＵＳＢフラッシュディスク本体、或いは単一機能のみ具えたＵＳＢフラッシュディスク本体、或いは単一機能のみを具えたデジタル音楽再生機（ＭＰ３プレイヤー）本体とされる。また、第１カバー６２は第５回路モジュール６２２を具え、第２カバー６３は第６回路モジュール６３２を具え、情報媒体本体６１はコネクタ６１２を具え、コネクタ６１２は一部が情報媒体本体６１外側に露出し、第１カバー６２或いは第２カバー６３と情報媒体本体６１が結合される時、コネクタ６１２は内部に被覆され、コネクタの損壊が防止される。
【００３０】
本実施例の第５回路モジュール６２２或いは第６回路モジュール６３２は例えばラジオモジュール、デジタルカメラモジュール、カードリーダーモジュール、語学学習機モジュール等とされる。注意すべきことは、第５回路モジュール６２２と第６回路モジュール６３２は異なる拡充機能を具えたモジュールとされ、これにより本発明の複数のカバーを具えた情報媒体装置６０が第１カバー６２或いは第２カバー６３を交換するだけで、異なる第５或いは第６拡充機能を具備することである。
【００３１】
図１０に示されるように、本実施例の複数のカバーを具えた情報媒体装置の情報媒体本体は第７回路モジュール６１４、第３電池６１６、第３イヤホンジャック６１８及び複数のボタン６２０を具えている。そのうち、第７回路モジュール６１４及び第３電池６１６は情報媒体本体６１内部に配置され、第３イヤホンジャック６１６と複数のボタン６２０は情報媒体本体６１の表面に配置される。本実施例の第７回路モジュール６１４も前述の実施例と同様にスイッチ回路Ｘを具え、第１カバー６２或いは第２カバー６３が情報媒体本体６１と結合される時、スイッチ回路Ｘは導通状態となり、第１カバー６２或いは第２カバー６３が情報媒体本体６１と分離され、且つ情報媒体本体６１がアクセス装置（例えばコンピュータ）に接続される時、スイッチ回路Ｘは不導通状態となる。
【００３２】
以上の実施例中、異なる機能の回路モジュールがカバーに配置され、その後、情報媒体本体と結合されることで、情報媒体装置が異なる機能を具備する。しかし以上はわずかに説明のために提示された実施例であり、本発明のカバーを限定するためのものではなく、本発明のカバーはその他の形態となしうる。同様に、本実施例の情報媒体装置はイヤホンジャックを具備するほか、スピーカの構造を具備したものとなしうる。
【図面の簡単な説明】
【００３３】
【図１】周知のラジオとデジタル音楽再生機（ＭＰ３プレイヤー）等の複合機能を具えたＵＳＢフラッシュディスクの表示図である。
【図２】本発明の好ましい実施例の機能拡充モジュールを具えた情報媒体装置の表示図であり、それはデジタル音楽再生機（ＭＰ３プレイヤー）を具えた装置である。
【図３】本発明の好ましい実施例の機能拡充モジュールを具えた情報媒体装置の第２回路モジュール及びスイッチ回路の電気回路図である。
【図４】本発明の好ましい実施例の機能拡充モジュールを具えた情報媒体装置の第１回路モジュールと第１コネクタの接続を示す電気回路図である。
【図５】本発明の好ましい実施例の機能拡充モジュールを具えた情報媒体装置の情報媒体本体とＵＳＢフラッシュディスク本体の表示図である。
【図６】本発明の好ましい実施例の機能拡充モジュールを具えた情報媒体装置の表示図であり、その情報媒体本体はデジタル音楽再生機（ＭＰ３プレイヤー）とされている。
【図７】本発明の好ましい実施例の機能拡充モジュールを具えた情報媒体装置のデジタル音楽再生機（ＭＰ３プレイヤー）端の電気回路図である。
【図８】本発明の好ましい実施例の機能拡充モジュールを具えた情報媒体装置のラジオモジュール端の電気回路図である。
【図９】本発明の好ましい実施例の機能拡充モジュールを具えた情報媒体装置のプログラム制御フローチャートである。
【図１０】本発明の好ましい実施例の複数のカバーを具えた情報媒体装置の表示図である。
【符号の説明】
【００３４】
１  デジタル音楽再生機（ＭＰ３プレイヤー）を具えたＵＳＢフラッシュディスク
１１  本体
１２、２１２  コネクタ
１３、２２、４２  カバー
１４  電池
１５  イヤホンジャック
２０  情報媒体装置
２１、４１、５１、６１  情報媒体本体
２１４  第２回路モジュール
２１４２  第２コネクタ
２１４４  第１電圧端
２１４６、２１４８  データ端
２１５０  第２電圧端
２１５２  第３電圧端
２１６  第１電池
２１８  第１イヤホンジャック
２２０、４１８、６２０  ボタン
２３  第１回路モジュール
２３２  第１コネクタ
４０  情報媒体装置
４１２、６１２  コネクタ
４１４  第３回路モジュール
４１６  第２イヤホンジャック
４２２  第２電池
５０  情報媒体装置
５４  ＭＰ３プレイヤー端の回路
５４２  ＦＭパワー信号
５４４  ＵＳＢ使用可能信号
５４６  ＦＭ使用可能信号
５４８  ＦＭリセット信号
５５０  ＦＭオーディオ信号
５５２  シーク信号
５５４  ＶＯＡＦ信号
５５６  Ｃ１６（コンデンサ）
５５８  シーク信号
５６０  リセット信号
５１４  第４回路モジュール
６０  情報媒体装置
６１４  第７回路モジュール
６１６  第３電池
６１８  第３イヤホンジャック
６２  カバー
６２２  第５回路モジュール
６３２  第６回路モジュール
６３  第２カバー
【図１】
2005316140.tif 000003
【図２】
2005316140.tif 000004
【図３】
2005316140.tif 000005
【図４】
2005316140.tif 000006
【図５】
2005316140.tif 000007
【図６】
2005316140.tif 000008
【図７】
2005316140.tif 000009
【図８】
2005316140.tif 000010
【図９】
2005316140.tif 000011
【図１０】
2005316140.tif 000012